(57)【特許請求の範囲】
【請求項１】
ホームエレベータのかごの秤装置の振動の検出により救出依頼信号が外部に送信された際に前記ホームエレベータのかごに設けられた換気装置の動作状態を現時点の動作状態から変化させるエレベータ制御装置と、
前記ホームエレベータからの救出依頼信号を受信した際に前記ホームエレベータの情報を救出員の携帯端末に送信し、前記救出員の携帯端末からの到着信号を受信した際に前記救出員の到着を示す信号を送信する管理装置と、
を備え、
前記エレベータ制御装置は、前記救出員の到着を示す信号が送信された際に前記換気装置の動作状態を現時点の動作状態から変化させ、前記救出員の到着を示す信号が送信された際に前記換気装置の動作状態を現時点の動作状態から変化させた状況において前記かごの秤装置の振動を検出した場合に前記ホームエレベータが設けられた建築物の出入口の扉に設けられた電子錠に対する解錠信号を送信するホームエレベータの利用者救出システム。
【請求項２】
ホームエレベータのかごの秤装置の振動の検出により救出依頼信号が外部に送信された際に前記ホームエレベータのかごに設けられた換気装置の動作状態を現時点の動作状態から変化させる救出依頼信号送信報知工程と、
前記ホームエレベータの救出依頼信号が管理装置に受信された際に前記ホームエレベータの情報を救出員の携帯端末に送信するホームエレベータ情報送信工程と、
前記救出員の携帯端末からの到着信号が前記管理装置に受信された際に前記換気装置の動作状態を現時点の動作状態から変化させる救出員到着報知工程と、
前記救出員到着報知工程により前記換気装置の動作状態を現時点の動作状態から変化させた状況において前記かごの秤装置の振動を検出した場合に前記ホームエレベータが設けられた建築物の出入口の扉に設けられた電子錠を解く解錠工程と、
を備えたエレベータの利用者救出方法。
【発明の詳細な説明】
【技術分野】
【０００１】
この発明は、ホームエレベータの利用者救出システムおよび利用者救出方法に関する。
【背景技術】
【０００２】
特許文献１は、ホームエレベータの利用者救出システムを開示する。当該利用者救出システムにおいて、利用者がかごに閉じ込められた際、ホームエレベータは、救出依頼信号を保守会社の管理装置に送信する。管理装置が当該救出依頼信号を受信した際、保守会社の者は、救出員に連絡する。救出員は、ホームエレベータが設けられた建築物に向かう。この際、利用者が解除スイッチを操作すると、建築物の出入口の錠が解かれる。このため、救出員は、建築物の内部に進入して、利用者を救出することができる。
【先行技術文献】
【特許文献】
【０００３】
【特許文献１】特開平４−１７３６７７号公報
【発明の概要】
【発明が解決しようとする課題】
【０００４】
しかしながら、特許文献１に記載のものにおいては、かごの内部の利用者は、救出依頼信号が送信されたか否かを認識することができない。このため、当該利用者は、不安を覚える。
【０００５】
この発明は、上述の課題を解決するためになされた。この発明の目的は、かごの内部に閉じ込められた利用者に対して救出依頼信号が送信されたことを報知できるホームエレベータの利用者救出システムを提供することである。
【課題を解決するための手段】
【０００６】
この発明に係るホームエレベータの利用者救出システムは、ホームエレベータのかごの秤装置の振動の検出により救出依頼信号が外部に送信された際に前記ホームエレベータのかごに設けられた換気装置の動作状態を現時点の動作状態から変化させるエレベータ制御装置と、前記ホームエレベータからの救出依頼信号を受信した際に前記ホームエレベータの情報を救出員の携帯端末に送信し、前記救出員の携帯端末からの到着信号を受信した際に前記救出員の到着を示す信号を送信する管理装置と、を備え、前記エレベータ制御装置は、前記救出員の到着を示す信号が送信された際に前記換気装置の動作状態を現時点の動作状態から変化させ、前記救出員の到着を示す信号が送信された際に前記換気装置の動作状態を現時点の動作状態から変化させた状況において前記かごの秤装置の振動を検出した場合に前記ホームエレベータが設けられた建築物の出入口の扉に設けられた電子錠に対する解錠信号を送信する。
【０００７】
この発明に係るホームエレベータの利用者救出方法は、ホームエレベータのかごの秤装置の振動の検出により救出依頼信号が外部に送信された際に前記ホームエレベータのかごに設けられた換気装置の動作状態を現時点の動作状態から変化させる救出依頼信号送信報知工程と、前記ホームエレベータの救出依頼信号が管理装置に受信された際に前記ホームエレベータの情報を救出員の携帯端末に送信するホームエレベータ情報送信工程と、前記救出員の携帯端末からの到着信号が前記管理装置に受信された際に前記換気装置の動作状態を現時点の動作状態から変化させる救出員到着報知工程と、前記救出員到着報知工程により前記換気装置の動作状態を現時点の動作状態から変化させた状況において前記かごの秤装置の振動を検出した場合に前記ホームエレベータが設けられた建築物の出入口の扉に設けられた電子錠を解く解錠工程と、を備えた。
【発明の効果】
【０００８】
これらの発明によれば、ホームエレベータの救出依頼信号が外部に送信された際、かごに設けられた体感機器の動作状態は、現時点の動作状態から変化する。このため、かごの内部に閉じ込められた利用者に対して救出依頼信号が送信されたことを報知できる。
【図面の簡単な説明】
【０００９】
【図１】この発明の実施の形態１におけるホームエレベータの利用者救出システムの構成図である。
【図２】この発明の実施の形態１におけるホームエレベータの利用者救出システムの動作を説明するためのフローチャートである。
【図３】この発明の実施の形態１におけるホームエレベータの利用者救出システムに適用されたエレベータ制御装置のハードウェア構成図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１におけるホームエレベータの利用者救出システムの構成図である。
【００１２】
図１において、建築物１は、住居である。扉２は、建築物１の出入口に設けられる。電子錠３は、扉２に設けられる。入力装置４は、建築物１の出入口の外側に設けられる。電子錠制御装置５は、建築物１の内部に設けられる。電子錠制御装置５の入力部は、入力装置４の出力部に接続される。電子錠制御装置５の出力部は、電子錠３の入力部に接続される。
【００１３】
ホームエレベータ６は、建築物１の内部に設けられる。ホームエレベータ６は、かご７を備える。換気装置８は、かご７の上部に設けられる。換気扇のスイッチ９は、かご７の内壁に設けられる。操作盤１０は、かご７の内壁に設けられる。複数の釦１１は、操作盤１０に設けられる。例えば、釦１１は、開釦からなる。例えば、釦１１は、階床釦からなる。秤装置１２は、かご７の下部に設けられる。
【００１４】
エレベータ制御装置１３は、かご７に接続される。監視装置１４は、エレベータ制御装置１３に接続される。監視装置１４は、電子錠制御装置５に接続される。
【００１５】
管理装置１５は、住居の外部に設けられる。例えば、管理装置１５は、ホームエレベータ６の保守会社に設けられる。管理装置１５は、固定電話回線１６を介して監視装置１４に接続される。
【００１６】
エレベータ制御装置１３は、ホームエレベータ６の動作を制御する。利用者がかご７に閉じ込められた場合、エレベータ制御装置１３は、利用者の閉じ込めを検出する。例えば、エレベータ制御装置１３は、かご７の走行後に１分間継続してドアが閉じた状態を維持した場合に利用者の閉じ込めを検出する。この際、監視装置１４は、救出依頼条件が満たされているか否かを判定する。
【００１７】
救出依頼条件が満たされている場合、監視装置１４は、固定電話回線１６を介して救出依頼信号を管理装置１５に送信する。例えば、エレベータ制御装置１３が秤装置１２の振動を検出した場合、監視装置１４は、固定電話回線１６を介して救出依頼信号を管理装置１５に送信する。例えば、エレベータ制御装置１３が釦１１のうちの開釦の操作を検出した場合、監視装置１４は、固定電話回線１６を介して救出依頼信号を管理装置１５に送信する。この際、エレベータ制御装置１３は、換気装置８の動作状態を現時点の動作状態から変化させる。
【００１８】
管理装置１５は、当該救出依頼信号を受信した際に当該ホームエレベータ６の情報を救出員の携帯端末１７に送信する。救出員は、当該ホームエレベータ６の情報に基づいて当該ホームエレベータ６が設けられた建築物１に向かう。救出員は、当該建築物１に到着した際に携帯端末１７を用いて到着信号を管理装置１５に送信する。
【００１９】
管理装置１５は、救出員の携帯端末１７からの到着信号を受信した際に救出員の到着を示す信号を監視装置１４に送信する。監視装置１４が救出員の到着を示す信号を受信した際、エレベータ制御装置１３は、換気装置８の動作状態を現時点の動作状態から変化させる。この際、監視装置１４は、解錠条件が満たされているか否かを判定する。
【００２０】
解錠条件が満たされている場合、監視装置１４は、電子錠３に対する解錠信号を電子錠制御装置５に送信する。例えば、監視装置１４は、秤装置１２の振動を検出した場合に電子錠３に対する解錠信号を電子錠制御装置５に送信する。例えば、監視装置１４は、釦１１のうちの開釦の操作を検出した場合に電子錠３に対する解錠信号を電子錠制御装置５に送信する。
【００２１】
電子錠制御装置５は、当該解錠信号を受信した際に電子錠３を解く。その後、救出員は、当該建築物１の内部に進入する。その後、救出員は、ホームエレベータ６に向かう。その後、救出員は、かご７に閉じ込められた利用者を救出する。
【００２２】
次に、図２を用いて、ホームエレベータ６の利用者救出システムの動作を説明する。
図２はこの発明の実施の形態１におけるホームエレベータの利用者救出システムの動作を説明するためのフローチャートである。
【００２３】
ステップＳ１では、エレベータ制御装置１３は、利用者がかご７の内部に閉じ込められているか否かを判定する。ステップＳ１で利用者がかご７の内部に閉じ込められていない場合は、ステップＳ１が繰り返される。ステップＳ１で利用者がかご７の内部に閉じ込められている場合は、ステップＳ２に進む。
【００２４】
ステップＳ２では、監視装置１４は、救出依頼条件が満たされている否かを判定する。ステップＳ２で救出依頼条件が満たされていない場合は、ステップＳ１に戻る。ステップＳ２で救出依頼条件が満たされている場合は、ステップＳ３に進む。
【００２５】
ステップＳ３では、監視装置１４は、救出依頼信号を管理装置１５に送信する。その後、ステップＳ４に進む。ステップＳ４では、エレベータ制御装置１３は、換気装置８の動作状態を現時点の動作状態から変更させる。その後、ステップＳ５に進む。
【００２６】
ステップＳ５では、管理装置１５は、当該ホームエレベータ６の情報を救出員の携帯端末１７に送信した後、救出員の携帯端末１７からの到着信号を受信したか否かを判定する。ステップＳ５で救出員の携帯端末１７からの到着信号を受信していない場合は、ステップＳ５が繰り返される。ステップＳ５で救出員の携帯端末１７からの到着信号を受信した場合は、ステップＳ６に進む。
【００２７】
ステップＳ６では、管理装置１５は、救出員の到着を示す信号を監視装置１４に送信する。その後、ステップＳ７に進む。ステップＳ７では、エレベータ制御装置１３は、換気装置８の動作状態を現時点の動作状態から変更させる。その後、ステップＳ８に進む。ステップＳ８では、監視装置１４は、予め設定された時間（例えば、数十秒）が経過したか否かを判定する。
【００２８】
ステップＳ８で予め設定された時間が経過していない場合は、ステップＳ９に進む。ステップＳ９では、エレベータ制御装置１３は、解錠条件が満たされているか否かを判定する。ステップＳ９で解錠条件が満たされていない場合は、ステップＳ８に戻る。ステップＳ９で解錠条件が満たされている場合は、ステップＳ１０に進む。
【００２９】
ステップＳ１０では、監視装置１４は、解錠信号を電子錠制御装置５に送信する。その後、電子錠制御装置５は、電子錠３を解く。その後、動作が終了する。
【００３０】
ステップＳ８で予め設定された時間が経過した場合は、ステップＳ１１に進む。ステップＳ１１では、監視装置１４は、解錠信号を電子錠制御装置５に送信しない。このため、電子錠制御装置５は、電子錠３を解かない。この際、監視装置１４は、固定電話回線１６を介して警察機関、消防機関等に通報する。その後、動作が終了する。
【００３１】
以上で説明した実施の形態１によれば、ホームエレベータ６の救出依頼信号が外部に送信された際、換気装置８の動作状態は、現時点の動作状態から変化する。このため、かご７の内部に閉じ込められた利用者に対して救出依頼信号が送信されたことを報知できる。
【００３２】
また、救出依頼信号は、秤装置１２の振動が検出された場合に送信される。このため、利用者が急病等で倒れている場合でも救出依頼信号を送信することができる。
【００３３】
また、救出員が到着した際、換気装置８の動作状態は、現時点の動作状態から変化する。このため、かご７の内部に閉じ込められた利用者に対して救出員が到着したことを報知できる。なお、救出員の到着は、携帯端末１７のＧＰＳ機能を用いて判定してもよい。
【００３４】
また、救出員が到着した際にかご７の秤装置１２が振動した場合、電子錠３が解かれる。このため、救出員が到着するまで建築物１のセキュリティを維持しつつ、利用者を迅速に救出することができる。
【００３５】
また、救出員が到着した際に釦１１が操作された場合、電子錠３が解かれる。このため、救出員が到着するまで建築物１のセキュリティを維持しつつ、利用者を迅速に救出することができる。
【００３６】
なお、換気装置８の代わりに他の体感機器を用いて救出依頼信号の送信と救出員の到着とを報知してもよい。例えば、電話機のバイブレーション機能を用いて救出依頼信号の送信と救出員の到着とを報知してもよい。
【００３７】
体感機器の動作状態の変化は、体感できる。このため、視覚障害者、聴覚障害者も救出依頼信号の送信と救出員の到着とを認識することができる。
【００３８】
次に、図３を用いて、エレベータ制御装置１３の例を説明する。
図３はこの発明の実施の形態１におけるホームエレベータの利用者救出システムに適用されたエレベータ制御装置のハードウェア構成図である。
【００３９】
エレベータ制御装置１３の各機能は、処理回路により実現される。例えば、処理回路は、少なくとも１つのプロセッサ１８ａと少なくとも１つのメモリ１８ｂとを備える。例えば、処理回路は、少なくとも１つの専用のハードウェア１９を備える。
【００４０】
処理回路が少なくとも１つのプロセッサ１８ａと少なくとも１つのメモリ１８ｂとを備える場合、長周期地震動予測システムの各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ１８ｂに格納される。少なくとも１つのプロセッサ１８ａは、少なくとも１つのメモリ１８ｂに記憶されたプログラムを読み出して実行することにより、エレベータ制御装置１３の各機能を実現する。少なくとも１つのプロセッサ１８ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ１８ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００４１】
処理回路が少なくとも１つの専用のハードウェア１９を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、エレベータ制御装置１３の各機能それぞれは、処理回路で実現される。例えば、エレベータ制御装置１３の各機能は、まとめて処理回路で実現される。
【００４２】
エレベータ制御装置１３の各機能について、一部を専用のハードウェア１９で実現し、一部をソフトウェア又はファームウェアで実現してもよい。例えば、かご７の動作を制御する機能については専用のハードウェア１９としての処理回路で実現し、かご７の動作を制御する機能以外の機能については少なくとも１つのプロセッサ１８ａが少なくとも１つのメモリ１８ｂに格納されたプログラムを読み出して実行することによって実現してもよい。
【００４３】
このように、処理回路は、ハードウェア１９、ソフトウェア、ファームウェア、又はこれらの組み合わせによって、エレベータ制御装置１３の各機能を実現する。
【００４４】
なお、電子錠制御装置５の各機能と監視装置１４の各機能と管理装置１５の各機能も、エレベータ制御装置１３の各機能を実現する処理回路と同様の処理回路により実現される。
【符号の説明】
【００４５】
１  建築物、  ２  扉、  ３  電子錠、  ４  入力装置、  ５  電子錠制御装置、  ６  ホームエレベータ、  ７  かご、  ８  換気装置、  ９  スイッチ、  １０  操作盤、  １１  釦、  １２  秤装置、  １３  エレベータ制御装置、  １４  監視装置、  １５  管理装置、  １６  固定電話回線、  １７  携帯端末、  １８ａ  プロセッサ、  １８ｂ  メモリ、  １９  ハードウェア
【図１】
0006493030.tif 000002
【図２】
0006493030.tif 000003
【図３】
0006493030.tif 000004